(57)【要約】【課題】ゲル状の接着剤における気泡を有効に除去する接着剤の気泡除去方法及びその装置を提供する。【解決手段】ゲル状の接着剤をバルブによって開閉状態が制御される気体除去タンクに注入される接着剤注入工程と、該気体除去タンクにおける空気を抽出することにより、接着剤に分散される気泡を接着剤の上側へ上昇させる気体抽出工程と、振動手段又は気体注入手段によって接着剤の上側における気泡が破れる気泡除去工程と、該気体抽出工程と気泡除去工程を数回繰り返すことにより、気泡を確実に除去し、気泡を除去した接着剤をポンプによって気泡除去タンクから抽出する接着剤抽出工程と、を有することを特徴とする。【選択図】図１
2007157240.tif 000002
【特許請求の範囲】
【請求項１】
ゲル状の接着剤をバルブによって開閉状態が制御される気体除去タンクに注入する接着剤注入工程と、
該気体除去タンクにおける空気を抽出することにより、接着剤に分散される気泡を接着剤の上側へ上昇させる気体抽出工程と、
振動手段又は気体注入手段によって接着剤の上側における気泡が破れる気泡除去工程と、
該気体抽出工程と気泡除去工程を数回繰り返すことにより、気泡を確実に除去し、
気泡を除去した接着剤をポンプによって気泡除去タンクから抽出する接着剤抽出工程と、を有することを特徴とする接着剤の気泡除去方法。
【請求項２】
前記気泡除去工程における振動手段は、パルス振動であることを特徴とする請求項１に記載の接着剤の気泡除去方法。
【請求項３】
前記気泡除去工程における振動手段は、超音波振動であることを特徴とする請求項１に記載の接着剤の気泡除去方法。
【請求項４】
前記気体抽出工程は、ポンプによって空気を気体除去タンクから抽出することを特徴とする請求項１乃至３の何れかに記載の接着剤の気泡除去方法。
【請求項５】
気体除去タンクを有し、該気体除去タンクの上側に、気体抽出用ポンプと連接される気体抽出パイプと、気体供給装置と連接される気体注入パイプと、接着剤注入パイプと、接着剤抽出パイプとを有するカバーが設けられることを特徴とする接着剤の気泡除去装置。
【請求項６】
前記接着剤注入パイプの下端がカバーに挿入されるだけで、気泡除去タンクの底部まで伸び込まなく、該接着剤抽出パイプの下端がカバーに挿入すると共に、気泡除去タンクの底部まで伸び込むことを特徴とする請求項５に記載の接着剤の気泡除去装置。
【請求項７】
前記気体抽出パイプにフィルタが設けられることを特徴とする請求項５又は６に記載の接着剤の気泡除去装置。
【請求項８】
前記接着剤注入パイプにフィルタが設けられることを特徴とする請求項７に記載の接着剤の気泡除去装置。
【請求項９】
前記カバーに保温部材が設けられることを特徴とする請求項８に記載の接着剤の気泡除去装置。
【発明の詳細な説明】
【技術分野】
【０００１】
本発明は、特にゲル状の接着剤における気泡を有効に除去する接着剤の気泡除去方法及びその装置に関するものである。
【背景技術】
【０００２】
従来のゲル状の接着剤は、物体を接着するために用いられるが、その粘度係数は高いので、流動の過程中、接着剤に空気を混ぜ込んで気泡が発生することがある。又、この接着剤の粘度係数が高いため、気泡が上方へ排出し難しく、接着剤中に分散してしまう。又、前記接着剤は、一般によく使用されるものであるため、特に特許文献又は非特許文献には記載されていない。
【発明の開示】
【発明が解決しようとする課題】
【０００３】
一般に、前記気泡を有する接着剤で紙のような物体を接着する場合は、接着効果に悪影響を与えないが、DVDなどの光ディスクを接着する場合は、該気泡を有する接着剤が２枚の光ディスクの接着効果を降下する問題があり、更に、接着際における気泡を２枚の光ディスクの間におけば、該光ディスクの光学特性に悪影響を及ぼす恐れがあった。
【０００４】
そこで、出願されたのが本発明であって、ゲル状の接着剤における気泡を有効に除去する接着剤の気泡除去方法及びその装置を提供することを目的としている。
【課題を解決するための手段】
【０００５】
本願の請求項１の発明は、ゲル状の接着剤をバルブによって開閉状態が制御される気体除去タンクに注入する接着剤注入工程と、
該気体除去タンクにおける空気を抽出することにより、接着剤に分散される気泡を接着剤の上側へ上昇させる気体抽出工程と、
振動手段又は気体注入手段によって接着剤の上側における気泡が破れる気泡除去工程と、
該気体抽出工程と気泡除去工程を数回繰り返すことにより、気泡を確実に除去し、
気泡を除去した接着剤をポンプによって気泡除去タンクから抽出する接着剤抽出工程と、を有することを特徴とする接着剤の気泡除去方法、を提供する。
【０００６】
本願の請求項２の発明は、前記気泡除去工程における振動手段は、パルス振動であることを特徴とする請求項１に記載の接着剤の気泡除去方法、を提供する。
【０００７】
本願の請求項３の発明は、前記気泡除去工程における振動手段は、超音波振動であることを特徴とする請求項１に記載の接着剤の気泡除去方法、を提供する。
【０００８】
本願の請求項４の発明は、前記気体抽出工程は、ポンプによって空気を気体除去タンクから抽出することを特徴とする請求項１乃至３の何れかに記載の接着剤の気泡除去方法、を提供する。
【０００９】
本願の請求項５の発明は、気体除去タンクを有し、該気体除去タンクの上側に、気体抽出用ポンプと連接される気体抽出パイプと、気体供給装置と連接される気体注入パイプと、接着剤注入パイプと、接着剤抽出パイプとを有するカバーが設けられることを特徴とする接着剤の気泡除去装置、を提供する。
【００１０】
本願の請求項６の発明は、前記接着剤注入パイプの下端がカバーに挿入されるだけで、気泡除去タンクの底部まで伸び込まなく、該接着剤抽出パイプの下端がカバーに挿入すると共に、気泡除去タンクの底部まで伸び込むことを特徴とする請求項５に記載の接着剤の気泡除去装置、を提供する。
【００１１】
本願の請求項７の発明は、前記気体抽出パイプにフィルタが設けられることを特徴とする請求項５又は６に記載の接着剤の気泡除去装置、を提供する。
【００１２】
本願の請求項８の発明は、前記接着剤注入パイプにフィルタが設けられることを特徴とする請求項７に記載の接着剤の気泡除去装置、を提供する。
【００１３】
本願の請求項９の発明は、前記カバーに保温部材が設けられることを特徴とする請求項８に記載の接着剤の気泡除去装置、を提供する。
【発明の効果】
【００１４】
本発明は上記の課題を解決するものであり、該気体除去タンクにおける空気を抽出することにより、接着剤に分散される気泡を接着剤の上側へ上昇させる気体抽出工程と、パルス振動、超音波振動又は気体注入手段によって接着剤の上側における気泡が破れる気泡除去工程により、接着剤における気泡を確実に除去することができるので、気泡なしの接着剤を提供することができる。
【発明を実施するための最良の形態】
【００１５】
以下、添付図面を参照して本発明の好適な実施の形態を詳細に説明する。
【００１６】
図１は本発明に係る接着剤の気泡除去方法を示すフローチャートであり、図２は本発明に係る接着剤の気泡除去装置を示す図である。
【００１７】
図１及び図２に示すように、本発明に係る接着剤の気泡除去方法は、ゲル状の接着剤をバルブによって開閉状態が制御される気体除去タンクに注入される接着剤注入工程（１０）と、
該気体除去タンクにおける空気を抽出することにより、接着剤に分散される気泡を接着剤の上側へ上昇させる気体抽出工程（１１）と、
パルス振動、超音波振動又は気体注入手段によって接着剤の上側における気泡が破れる気泡除去工程（１２）と、
該気体抽出工程（１１）と気泡除去工程（１２）を数回繰り返すことにより、気泡を確実に除去し、
ポンプによって空気を気泡除去タンクに注入することにより、気泡を除去した接着剤を気泡除去タンクから抽出する接着剤抽出工程（１３）と、を有する。
【００１８】
図２に示すように、本発明に係る接着剤の気泡除去装置は、気泡除去タンク（２０）を有し、該気泡除去装置（２０）の上側に、ポンプ（２３）と連接される気体抽出パイプ（２２）と、気体供給装置（符号なし）と連接される気体注入パイプ（２４）と、接着剤注入パイプ（２５）と、接着剤抽出パイプ（２６）とを有するカバー（２１）が設けられる。
【００１９】
前記接着剤注入パイプ（２５）の下端がカバー（２１）に挿入されるだけで、気泡除去タンク（２０）の底部まで伸び込まなく、該接着剤抽出パイプ（２６）の下端がカバー（２１）に挿入すると共に、気泡除去タンク（２０）の底部まで伸び込む。
【００２０】
気泡が接着剤の上側へ浮き上がって破れるので、気泡除去タンク（２０）のの底部まで延び込んだ接着剤抽出パイプ（２６）は、気泡を全く含まない接着剤を抽出することができる。
【００２１】
又、接着剤が気体抽出パイプ（２２）を介してポンプ（２３）に進入されることによりポンプを損壊する問題を防止するために、気体抽出パイプ（２２）に接着剤を過慮するフィルタ（２７）が設けられることができる。
【００２２】
又、接着剤を気泡除去タンク（２０）に注入する際、接着剤における雑質を接着剤と一緒に気泡除去タンク（２０）に進入することを防止するために、接着剤注入パイプ（２５）にフィルタ（符号なし）が設けられることができる。
【００２３】
又、所定の温度で接着剤の流動性を維持するために、カバー（２１）に保温部材（２８）が設けられることができる。
【００２４】
本発明は、気体除去タンクにおける空気を抽出することにより、接着剤に分散される気泡を接着剤の上側へ上昇させる気体抽出工程と、パルス振動、超音波振動又は気体注入手段によって接着剤の上側における気泡が破れる気泡除去工程により、接着剤における気泡を確実に除去することができるので、気泡なしの接着剤を提供することができる。
【図面の簡単な説明】
【００２５】
【図１】本発明に係る接着剤の気泡除去方法を示すフローチャートである。
【図２】本発明に係る接着剤の気泡除去装置を示す図である。
【符号の説明】
【００２６】
１０        接着剤注入工程
１１        気体抽出工程
１２        気泡除去工程
１３        接着剤抽出工程
２０        気泡除去タンク
２１        カバー
２２        気体抽出パイプ
２３        ポンプ
２４        気体注入パイプ
２５        接着剤注入パイプ
２６        接着剤抽出パイプ
２７        フィルタ
２８        保温部材
【図１】
2007157240.tif 000003
【図２】
2007157240.tif 000004